(57)【要約】【課題】外部メモリ無しで撮影した場合でも、撮影画像を外部メモリに保存可能にする。【解決手段】レンズ部１０１、シャッター部１０２を通して撮像ユニット１０３で撮影された画像の画像データをデジタルカメラ本体に設けられた揮発性のメモリ１０５に一時的に記憶する。揮発性メモリ１０５に記憶された画像データを、その後、カードスロット１０７に装着される外部メモリ１０９に保存する。カードスロット１０７のカード蓋が開いており、かつ外部メモリ１０９が装着されているときは、電源をオフにする。カードスロット１０７のカード蓋が開いており、かつ外部メモリ１０９が装着されていないときは、電源のオンを維持し、メモリ１０５の画像データの有無を判定し、画像データがあれば、ユーザに同画像データをメモリカード１０９に保存するか否かを問い合わせる。【選択図】図１
2017005620.tif 000002
【特許請求の範囲】
【請求項１】
外部メモリを装着するための外部メモリ格納部と、
前記外部メモリ格納部に設けられる蓋部と、
前記外部メモリ格納部への外部メモリの装着の有無を外部メモリ装着情報として検出する外部メモリ装着検出手段と、
前記蓋部の開閉の有無を開閉情報として検出する蓋部開閉検出手段と、
前記カード装着情報および前記開閉情報に基づき電源のオンとオフを切り替える電源オン／オフ切替手段と
を備えることを特徴とする撮像装置。
【請求項２】
前記開閉情報が、前記蓋部が開いていることを示し、かつ前記外部メモリ装着情報が、前記外部メモリが装着されていないことを示す場合に、前記電源オン／オフ切替手段が前記電源のオン状態を継続することを特徴とする請求項１に記載の撮像装置。
【請求項３】
撮影画像の画像データを一時的に記憶する揮発性メモリを備え、前記電源オン／オフ切替手段が前記電源のオン状態を継続した場合に、前記揮発性メモリに画像データが存在するか否かをチェックすることを特徴とする請求項２に記載の撮像装置。
【請求項４】
前記揮発性メモリに存在する画像データを前記外部メモリに書き込むためのデータ記録手段を備えることを特徴とする請求項２に記載の撮像装置。
【請求項５】
前記開閉情報が、前記蓋部が開かれていることを示し、かつ前記カード装着情報が、前記外部メモリが装着されていることを示す場合に、前記電源オン／オフ切替手段が前記電源をオフにすることを特徴とする請求項１〜４の何れかに記載の撮像装置。
【請求項６】
撮影画像の画像データを一時的に記憶する揮発性メモリと、
前記揮発性メモリに存在する画像データを前記外部メモリに書き込むためのデータ記録手段とを備え、
前記開閉情報が、前記蓋部が開かれていることを示し、かつ前記外部メモリ装着情報が、前記外部メモリが装着されていることを示す場合に、前記揮発性メモリに画像データが存在するか否かをチェックし、前記画像データが存在しないときには前記電源オン／オフ切替手段が前記電源をオフにすることを特徴とする請求項１または請求項２に記載の撮像装置。
【請求項７】
前記揮発性メモリに画像データが存在する場合に、前記画像データを前記外部メモリに記録するか否かをユーザに選択させることを特徴とする請求項４または請求項６に記載の撮像装置。
【発明の詳細な説明】
【技術分野】
【０００１】
本発明は、挿入口に蓋が設けられたメモリカード格納部を備える撮像装置に関する。
【背景技術】
【０００２】
デジタルカメラなどの撮像装置は、撮影した画像を着脱自在な外部のメモリカードに記憶するのが一般的である。そのためカメラ本体にはメモリカードを装着するための格納部が設けられ、格納部の挿入口には、装着されたメモリカードを保護するためのカード蓋が設けられる。着脱自在なメモリカードを用いる構成では、電源がオン状態のままメモリカードが抜き取られるとメモリカード内のデータが破壊されてしまう可能性がある。そのためカード蓋の開閉を検知するためのセンサを設け、カード蓋が開けられると、強制的にカメラの電源をオフにする構成が提案されている（特許文献１参照）。
【先行技術文献】
【特許文献】
【０００３】
【特許文献１】特開２０００−０８３１８７号公報
【発明の概要】
【発明が解決しようとする課題】
【０００４】
しかし、特許文献１のようにカード蓋を開けたときにカメラの電源を強制的にオフにする構成では、メモリカードを装着し忘れて撮影を行い、その後メモリカードを装着するためにカード蓋を開けると、カメラ本体の一時メモリに記憶されている撮影画像データが消去され、撮影した画像を消失してしまう。
【０００５】
本発明は、外部メモリ無しで撮影した場合でも、撮影画像を外部メモリに保存可能にすることを目的とする。
【課題を解決するための手段】
【０００６】
本発明の撮像装置は、外部メモリを装着するための外部メモリ格納部と、外部メモリ格納部に設けられる蓋部と、外部メモリ格納部への外部メモリの装着の有無を外部メモリ装着情報として検出する外部メモリ装着検出手段と、蓋部の開閉の有無を開閉情報として検出する蓋部開閉検出手段と、外部メモリ装着情報および開閉情報に基づき電源のオンとオフを切り替える電源オン／オフ切替手段とを備えることを特徴としている。
【０００７】
開閉情報が、蓋部が開いていることを示し、かつ外部メモリ装着情報が、外部メモリが装着されていないことを示す場合に、電源オン／オフ切替手段は電源のオン状態を継続する。撮像装置は撮影画像の画像データを一時的に記憶する揮発性メモリを更に備え、電源オン／オフ切替手段が電源のオン状態を継続した場合に、揮発性メモリに画像データが存在するか否かをチェックする。撮像装置は、揮発性メモリに存在する画像データを外部メモリに書き込むためのデータ記録手段を更に備える。開閉情報が、蓋部が開かれていることを示し、かつ外部メモリ装着情報が、外部メモリが装着されていることを示す場合に、電源オン／オフ切替手段が電源をオフにする。
【０００８】
撮像装置が、撮影画像の画像データを一時的に記憶する揮発性メモリと、揮発性メモリに存在する画像データを外部メモリに書き込むためのデータ記録手段とを更に備えるとき、開閉情報が、蓋部が開かれていることを示し、かつ外部メモリ装着情報が、外部メモリが装着されていることを示す場合に、揮発性メモリに画像データが存在するか否かをチェックし、画像データが存在しないときには電源オン／オフ切替手段が電源をオフにする。一方、揮発性メモリに画像データが存在する場合には、画像データを外部メモリに記録するか否かをユーザに選択させる。
【発明の効果】
【０００９】
本発明によれば、外部メモリ無しで撮影した場合でも、撮影画像を外部メモリに保存可能にすることができる。
【図面の簡単な説明】
【００１０】
【図１】本発明の一実施形態である撮像装置の要部の構成を示すブロック図である。
【図２】本実施形態において、カード蓋が開かれたときに実行される処理のフローチャートである。
【発明を実施するための形態】
【００１１】
以下、本発明の実施の形態を、図面を参照して説明する。図１は、本発明の一実施形態である撮像装置の要部の構成を示すブロック図である。
【００１２】
本実施形態の撮像装置は、例えばデジタルカメラである。デジタルカメラは、被写体像を結像するためのレンズ部１０１、および露光量を制御するためのシャッター部１０２を通して被写体からの光を撮像ユニット１０３のイメージングセンサに結像する。撮像ユニット１０３では、イメージセンサに投影された被写体像を電気信号に変換してデジタル画像データを生成し、デジタルシグナルプロセッサ（ＤＳＰ）１０６へと出力する。
【００１３】
ＤＳＰ１０６では、撮像ユニット１０３からのデジタル画像データに対して所定の信号処理を施し、揮発性のメモリ１０５に一時的に記憶する。また、メモリ１０５に保存されたデジタル画像データは、所定のタイミングでＤＳＰ１０６に読み出され、所定の画像処理が施された後、メモリカードなどの不揮発性外部メモリ１０９に保存される。
【００１４】
デジタルカメラ本体には、例えばカードスロット１０７などの外部メモリ格納部が設けられ、外部メモリ１０９は、カードスロット１０７に着脱自在である。カードスロット１０７に装着された外部メモリ１０９は、インタフェース（図示せず）等を介してＤＳＰ１０６に電気的接続され、外部メモリ１０９とＤＳＰ１０６の間では、デジタル画像データ等のデータの遣り取りが可能となる。すなわち、ＤＳＰ１０６から外部メモリ１０９へ画像データを出力する他、外部メモリ１０９に保存された画像データ等をＤＳＰ１０６が読み出すことも可能である。
【００１５】
また、カメラ本体には、カードスロット１０７の挿入口を塞ぐための開閉自在なカード蓋（図示せず）が設けられる。カード蓋（蓋部）は、外部メモリ１０９が装着されているときには、外部メモリ１０９を保護し、またカードスロット１０７内への異物の侵入を防止する。本実施形態では、カードスロット１０７の挿入口近傍に、カード蓋の開閉状態を検知するためのセンサとして、例えばカード蓋スイッチ（蓋部開閉検出手段）１０８が設けられる。カード蓋スイッチ１０８は、カード蓋の開閉状態を検知し、ＤＳＰ１０６に検知信号を入力する。
【００１６】
また、デジタルカメラは、装置全体に電力を供給するための電源制御部１０４を備える。電源制御部１０４は、ＤＳＰ１０６からの指示により、撮像ユニット１０３を始め、シャッター部１０２、メモリ１０５、外部メモリ１０９等の各部へ電力を供給する。
【００１７】
次に図２のフローチャートを参照して本実施形態のカード蓋を開いたときの処理の流れについて説明する。なお、本処理はデジタルカメラ本体の電源オンの状態において、カード蓋スイッチによる割り込み処理としてＤＳＰ１０６において実行される。
【００１８】
デジタルカメラ本体の電源がオンの状態で、カード蓋が開かれると、カード蓋スイッチ１０８から蓋が開いていることを示す開閉情報がＤＳＰ１０６に入力され、本処理が開始する（ステップＳ１）。本処理が開始するとまず外部メモリ（メモリカード）１０９がカードスロット１０７に装着されているか否か（メモリカードの有無）がインタフェース等を通して判定される（ステップＳ２：外部メモリ装着検出手段）。
【００１９】
外部メモリ（メモリカード）１０９が、装着されていれば、データ保護のためにカメラ本体の電源をオフし（ステップＳ３）、本処理を終了する。一方、外部メモリ（メモリカード）１０９が装着されていないときには、電源オン状態を継続する（ステップＳ４）。その後、カメラ本体の電源がオンの状態で、カードスロット１０７に外部メモリ（メモリカード）１０９が装着され（ステップＳ５）、更にカード蓋が閉じられると（ステップＳ６）、例えば最終撮影画像などの画像データが本体メモリ１０５内に存在するか否かのチェックを行う（ステップＳ７）。
【００２０】
画像データが存在する場合は、同画像データを装着された外部メモリ（メモリカード）１０９に保存するか否かをユーザに問い合わせる（例えばモニタ等に問い合わせメッセージを表示する；ステップＳ８）。ユーザの選択が記録するであれば、本体メモリ１０５に記憶されたた同画像データを外部メモリ（メモリカード）１０９に、保存し（ステップＳ９）、本処理を終了する。一方、本体メモリ１０５内に画像データ（最終撮影画像）が無い場合（ステップＳ７）、あるいはユーザが画像データを記録しないことを選択した場合（ステップＳ８）、本処理は直ちに終了する。なお、ユーザへの問い合わせは、例えばモニタに同画像データの画像を表示し、これに記録する／記録しないの選択肢をスパーインポーズすることで行い、ユーザは操作キーやタッチパネルを用いて何れかの選択肢を選択することで、同画像データを外部メモリ１０９へ記録するか否かを決定する。
【００２１】
なお、外部メモリ（メモリカード）１０９がカードスロット１０７に装着されているか否かの判定（ステップＳ２、Ｓ５）は、例えばインタフェース（図示せず）を介して外部メモリ（メモリカード）１０９にアクセスすることで得られるカード装着情報に基づき判断される。またステップＳ６におけるカード蓋が閉じられたことの判定は、ステップＳ１と同様にカード蓋スイッチ１０８から入力される開閉情報を参照して行われる。
【００２２】
以上のように、本実施形態によれば、デジタルカメラのカード蓋が開けられたときに、外部メモリが装着されているか否かに応じて、電源のオン／オフを行うか否かの動作を切り替えることで、外部メモリのデータを確実に保護するとともに、カメラ本体の揮発性メモリに記憶されている画像データ（撮影画像）を外部メモリに記録可能にしている。すなわち、メモリカードが装着されている場合には、電源をオフしてカードデータを保護し、メモリカードが装着されていない場合は、電源のオン状態を継続し、揮発性メモリに記憶されている画像データを外部メモリに記録可能としている。
【００２３】
なお、本実施形態の図２の説明では、カード蓋が開かれ（ステップＳ１）かつメモリカードが装着されていない場合（ステップＳ２：Ｙｅｓ）に電源をオフせずにオン状態を継続し（ステップＳ４）；カード蓋が開かれ（ステップＳ１）かつメモリカードが装着されているときに（ステップＳ２：Ｎｏ）、電源をオフにしている（ステップＳ３）。しかし、ステップＳ２のＮｏの分岐（メモリカードが装着されているとき）の後に、例えば、ステップＳ７と同様に、カメラ本体に設けられた揮発性メモリに画像データが存在するか否かを判断し、画像データが存在する場合には、電源のオン状態を継続してステップＳ９と同様に同画像データのメモリカード（不揮発性メモリ）への記録をユーザが選択した後電源をオフにし、画像データが無い場合には直ちに電源をオフする構成としてもよい。
【符号の説明】
【００２４】
１０１  レンズ部
１０２  シャッター部
１０３  撮像ユニット
１０４  電源制御部
１０５  メモリ
１０６  デジタルシグナルプロセッサ（ＤＳＰ）
１０７  カードスロット（外部メモリ格納部）
１０８  カード蓋スイッチ（蓋部開閉検出手段）
１０９  外部メモリ（メモリカード）
【図１】
2017005620.tif 000003
【図２】
2017005620.tif 000004